【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
超音波によって構成要素を検査するための装置であって、
ハウジング（２）と、
前記ハウジング（２）の検査面（３）に配列された複数の二方向超音波変換器（４）と、
前記ハウジング（２）の中に配列された、前記変換器（４）を操作するためのドライバエレクトロニクス（８４）と、
前記ハウジング（２）に配列された、ハンドル（３０、４４）を取り付けるための機械的ハンドルインターフェイス（１８）と、
１組の異なる形状のハンドル（３０、４４）であって、各ハンドルが、前記機械的ハンドルインターフェイス（１８）に取り付けられるように構成される、ハンドルと、
を備える、装置。
【請求項２】
前記機械的ハンドルインターフェイス（１８）が、前記ハンドル（３０、４４）の１つを、又は、同時に前記ハンドル（３０、４４）の２つを、選択的に受け入れるように構成される、請求項１に記載の装置。
【請求項３】
前記機械的ハンドルインターフェイス（１８）が、前記ハウジング（２）の第１取付け面（８）に配置された複数の機械的アダプタ（２０）を備え、前記第１取付け面（８）が前記検査面（３）を横断し、特に前記検査面（３）に対して直角を成し、前記ハウジング（２）の第１及び第２端面（１０、１１）の間に延びる、請求項１又は２に記載の装置。
【請求項４】
前記アダプタ（２０）の少なくとも１つに接続するように適合され構成された脚部分（３２）と、使用者によって握られるグリップ部分（３４）と、を有する、少なくとも１つの第１ハンドル（３０）を備え、前記第１ハンドル（３０）が前記ハウジング（２）に取り付けられたとき、前記グリップ部分（３４）が、前記第１及び第２端面（１０、１１）の間の中央に配置され、前記ハウジング（２）から離れるように延びる、請求項３に記載の装置。
【請求項５】
前記脚部分（３２）が、前記ハウジング（２）に取り付けられたとき、前記アダプタ（２０）の少なくとも２つに接続するように適合され構成されており、前記グリップ部分（３４）が、前記脚部分（３２）の中央に取り付けられる、請求項４に記載の装置。
【請求項６】
前記アダプタ（２０）の少なくとも１つに接続するように適合され構成された脚部分（４６）と、使用者によって握られるグリップ部分（４８）と、を有する、少なくとも１つの第２ハンドル（４４）を備え、前記第２ハンドル（４４）が前記ハウジング（２）に取り付けられたとき、前記グリップ部分（４８）が、前記ハウジング（２）の前記第１又は第２端面（１０、１１）の上方を突出する、請求項３〜５のいずれか一項に記載の装置。
【請求項７】
前記第２ハンドル（４４）を少なくとも２つ備え、前記機械的ハンドルインターフェイス（１８）が、前記第２ハンドル（４４）の２つを同時に受け入れるように適合され構成されており、前記第２ハンドル（４４）の前記グリップ部分（４８）が、前記ハウジング（２）の対向する側面に配置される、請求項６に記載の装置。
【請求項８】
前記第２ハンドル（４４）の前記グリップ部分（４８）が、前記第２ハンドル（４４）の前記脚部分（４６）を横断して、特に前記脚部分に対して直角を成して延びる、請求項６又は７に記載の装置。
【請求項９】
前記機械的ハンドルインターフェイス（１８）に取り付けられた前記ハンドル（３０、４４）の少なくとも１つへの電気的な接続を与えるために前記ハウジング（２）に配置された電気ハンドルインターフェイス（２２）を更に備え、前記ハンドル（３０、４４）の少なくとも一部が、前記電気ハンドルインターフェイス（２２）を介して前記装置を制御するためのユーザー操作可能要素（４０）を備える、請求項１〜８のいずれか一項に記載の装置。
【請求項１０】
請求項１〜９のいずれか一項に記載の数個の装置（１）を備え、且つ、少なくとも１つの機械的コネクタ（５２）を更に備える、超音波によって構成要素を検査するための機器であって、前記機械的コネクタ（５２）が、前記装置（１）の少なくとも２つの前記機械的ハンドルインターフェイス（１８）に取り付けられることによって、前記２つの装置（１）を相互に機械的に接続するように構成され適合される、機器。
【請求項１１】
前記装置（１）が、請求項３に記載の装置であり、前記装置（１）及び前記機械的コネクタ（５２）が、第１及び第２の装置（１）の前記ハウジング（２）の前記第１取付け面（８）において前記機械的アダプタ（２０）の第１部分に前記機械的コネクタ（５２）を取り付けることによって、前記装置（１）が、前記第１の装置（１）の前記第２端面（１１）を前記第２の装置（１）の前記第１端面（１０）に隣接した状態で取付けできるように構成される、請求項１０に記載の機器。
【請求項１２】
前記装置（１）が、請求項６に記載の装置であり、前記端面（１０、１１）が相互に隣接した状態で前記第１及び第２の装置（１）が取り付けられ且つ前記機械的コネクタ（５２）が前記機械的アダプタ（２０）の前記第１部分に取り付けられたときに、前記第２ハンドル（４４）の２つが、前記機械的アダプタ（２０）の第２部分に取り付け可能である、請求項１１に記載の機器。
【請求項１３】
複数の同一の装置（１）を備える、超音波によって構成要素を検査するための、特に請求項１０〜１２のいずれか一項に記載の機器であって、各装置が、
ハウジング（２）と、
前記ハウジング（２）上に又はその中に配置された複数の同一の二方向超音波変換器（４）と、
前記ハウジング（２）の中に配置された、前記変換器（４）を操作するためのドライバエレクトロニクス（８４）と、
前記装置（１）の少なくとも１つの他の装置との間の通信を確立するためのピア装置インターフェイス（７２）と、
前記ピア装置インターフェイス（７２）を介して前記少なくとも１つの他の装置を制御するように適合され構成された主制御器（７３）と、
を備える、機器。
【請求項１４】
各装置が、数個のチャンネル（７６）を備え、各チャンネル（７６）が、前記変換器（４）の少なくとも１つ特に前記変換器（４）の数個を含み、且つ、超音波信号を送信するための送信モードと超音波信号を受信するための受信モードとを有し、各装置の前記主制御器（７３）が、
同じ装置の前記チャンネル（７６）の前記モードを局部的に且つ個別に制御するように、及び
前記少なくとも１つの他の装置の前記チャンネル（７６）の前記モードを遠隔的に且つ個別に制御するように、
適合され構成される、
請求項１３に記載の機器。
【請求項１５】
前記ピア装置インターフェイス（７２）が、前記送信モードで発信される信号を表し且つ／又は前記受信モードで受信される信号を表す情報を送るように適合され構成されたデータリンク（７８）を備える、請求項１４に記載の機器。
【請求項１６】
前記ピア装置インターフェイス（７２）が、前記装置（１）をリアルタイムに同期化するように適合され構成されたトリガリンク（８０）を備え、前記データリンク（７８）が非リアルタイム接続を形成する、請求項１５に記載の機器。
【請求項１７】
前記主制御器が、前記チャンネル（７６）によって受信された信号を表す計測データをバッファ保存するためのメモリ（７５）を備える、請求項１４〜１６のいずれか一項に記載の機器。
【請求項１８】
前記機器が、前記機器を制御するためのホストユニット（６６）を更に備え、前記ホストユニット（６６）が前記装置（１）から分離され、
各装置が、前記装置の前記主制御器（７３）を前記ホストユニット（６６）に接続するように適合され構成されたホストデータインターフェイス（７４）を更に備え、
前記ホストユニットが、第１の装置の前記主制御器（７３）を介して前記複数の装置の全てを制御するために、前記第１の装置の前記主制御器（７３）に接続するように適合され構成される、請求項１３〜１７のいずれか一項に記載の機器。
【請求項１９】
前記ホストデータインターフェイス（７４）が、前記機器の前記チャンネル（７６）の各々について個別に前記送信モードで発信される信号を表し且つ／又は前記受信モードで受信される信号を表す情報を送るように適合され構成される、請求項１４及び１８に記載の機器。
【請求項２０】
前記ホストデータインターフェイス（７４）が、前記機器の全てのチャンネル（７６）の前記モードを個別に制御するように適合され構成される、請求項１４及び請求項１８又は１９に記載の機器。
【請求項２１】
コンクリートを検査するための請求項１〜２０のいずれか一項に記載の機器又は装置の使用。